【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
医用インプラントシステムであって、
生体適合性材料で作られ、外面を有するインプラント本体と、
前記インプラント本体の外面上に設けられた抗菌性金属を含む金属コンポーネントと、
第１の端子及び第２の端子を備えた電源と、を有し、前記端子のうち一方は、前記金属コンポーネントと電気的連絡状態にあり、
更に、前記電源の第１の端子と前記電源の第２の端子との間の電流路中に配置された絶縁体を有し、前記絶縁体は、植え込み時、前記インプラントシステムの外面に隣接して位置する導電性体組織又は体液を含む回路を構成することなしに前記第１の端子から流れる電流が前記第２の端子に到達するのを阻止する、医用インプラントシステム。
【請求項２】
医用インプラントシステムであって、
生体適合性材料で作られたインプラント本体を有し、前記インプラント本体は、第１の外面を備えた第１の要素及び第２の外面を備えた第２の要素を有し、
更に、前記インプラント本体の第１の外面上に配置された抗菌性金属を含む第１の金属コンポーネントと、
第１の端子及び第２の端子を備えた電源と、を有し、前記第１の端子は、前記第１の金属コンポーネントと電気的連絡状態にあり、
更に、前記電源の第１の端子と前記電源の第２の端子との間の電流路中に配置された絶縁体を有し、前記絶縁体は、植え込み時、前記インプラントシステムの外面に隣接して位置する導電性体組織又は体液を含む回路を構成することなしに前記第１の端子から流れる電流が前記第２の端子に到達するのを阻止する、医用インプラントシステム。
【請求項３】
医用インプラントシステムであって、
生体適合性材料で作られたインプラント本体を有し、前記インプラント本体は、第１の外面と、内部キャビティを備えた主要本体部分とを有し、前記内部キャビティは、壁及び開口部を備え、前記インプラント本体は、前記内部キャビティの開口部内に取り外し可能に配置されたキャップ部分を有し、前記キャップ部分は、第２の外面を有し、
更に、前記主要本体部分の第１の外面の上に配置された抗菌性金属含有コーティングと、
内部キャビティ内に設けられた電源と、を有し、前記電源は、第１の端子及び第２の端子を有し、前記第１の端子は、前記抗菌性金属含有コーティングと電気的連絡状態にあり、
更に、前記電源の前記第１の端子と前記電源の前記第２の端子との間の電流路中に配置された絶縁体を有し、前記絶縁体は、植え込み時、前記インプラントシステムの外面に隣接して位置する導電性体組織又は体液を含む回路を構成することなしに前記第１の端子から流れる電流が前記第２の端子に到達するのを阻止する、医用インプラントシステム。
【請求項４】
医用インプラントシステムであって、
少なくとも２つの整形外科固定具を支持する支持構造体を有し、前記支持構造体は、前記少なくとも２つの整形外科固定具を支持体に固着させ、
更に、前記支持構造体によって支持され且つ第１の外面を有する第１の整形外科固定具と、
前記支持構造体によって支持され且つ第２の外面を有する第２の整形外科固定具と、
前記第１の固定具の第１の外面上に配置された抗菌性金属を含む第１の金属コンポーネントと、
第１の端子及び第２の端子を備えた電源と、を有し、前記第１の端子は、前記第１の金属コンポーネントと電気的連絡状態にあり、
更に、前記電源の前記第１の端子と前記電源の前記第２の端子との間の電流路中に配置された絶縁体と、を有し、前記絶縁体は、植え込み時、前記インプラントシステムの外面に隣接して位置する導電性体組織又は体液を含む回路を構成することなしに前記第１の端子から流れる電流が前記第２の端子に到達するのを阻止する、医用インプラントシステム。
【請求項５】
前記インプラント本体は、壁及び開口部を備えた内部キャビティと、前記内部キャビティの開口部内に取り外し可能に配置されたキャップと、を有し、
前記電源は、前記内部キャビティ内に収納される、請求項１〜４のいずれか１項に記載の医用インプラントシステム。
【請求項６】
使用中、全体が人体内に配置される、請求項１〜４のいずれか１項に記載の医用インプラントシステム。
【請求項７】
更に、前記内部キャビティの壁の一部分の上に配置された金属コンポーネントを有する、請求項５に記載の医用インプラントシステム。
【請求項８】
前記金属コンポーネントは、銀、銅、銀と銅の両方、銀とカドミウムの両方、銅とカドミウムの両方、銀、銅及びカドミウムの組合せから成る群から選択された金属を含む、請求項１〜４のいずれか１項に記載の医用インプラントシステム。
【請求項９】
前記金属コンポーネントは、金、亜鉛、コバルト、ニッケル、白金、パラジウム、マンガン、クロム及びこれらの組合せから成る群から選択された金属から成る、請求項１〜４のいずれか１項に記載の医用インプラントシステム。
【請求項１０】
前記金属コンポーネントは、前記インプラント本体の外面に配置されたコーティングである、請求項１〜４のいずれか１項に記載の医用インプラントシステム。
【請求項１１】
前記金属コーティングの厚さは、１×１０-9〜５×１０-3メートルである、請求項１０に記載の医用インプラントシステム。
【請求項１２】
前記金属コーティングは、前記絶縁体によって占められる前記インプラント本体の外面の部分を除き、前記インプラント本体の外面の１％〜１００％にわたって前記インプラント本体の外面の一部分の上に配置される、請求項１０に記載の医用インプラントシステム。
【請求項１３】
前記金属コーティングは、前記インプラント本体の外面の５０％〜９９％にわたって前記インプラント本体の外面の一部分の上に配置される、請求項１０に記載の医用インプラントシステム。
【請求項１４】
前記金属コーティングは、前記インプラント本体の外面上のコーティングの２つ又は３つ以上の領域として配置され、前記コーティングの少なくとも１つの領域は、前記第１の端子と電気的連絡状態にあり、前記コーティングの少なくとも１つの領域は、前記第２の端子と電気的連絡状態にあり、
前記絶縁体は、前記電源の第１の端子と前記電源の第２の端子との間の前記電流路中に配置され、前記コーティングの２つ又は３つ以上の領域を電気的に互いに絶縁する、請求項１０に記載の医用インプラントシステム。
【請求項１５】
前記インプラント本体は、コーティングがない関節面を有する、請求項１０に記載の医用インプラントシステム。
【請求項１６】
前記金属コンポーネントは、前記外面上に設けられたワイヤの形態をなす、請求項１０に記載の医用インプラントシステム。
【請求項１７】
前記金属コンポーネントは、前記生体適合性材料よりも導電率が高い、請求項１〜４のいずれか１項に記載の医用インプラントシステム。
【請求項１８】
更に、前記電源と電気的連絡状態にある抵抗器を有する、請求項１〜４のいずれか１項に記載の医用インプラントシステム。
【請求項１９】
更に、前記電源と電気的連絡状態にあるスイッチを有する、請求項１〜４のいずれか１項に記載の医用インプラントシステム。
【請求項２０】
更に、前記スイッチと信号を介して連絡状態にある制御装置を有する、請求項１９に記載の医用インプラントシステム。
【請求項２１】
前記内部キャビティの壁と接触状態にある前記キャップの少なくとも一部分は、前記絶縁体の少なくとも一部分を形成する、請求項５に記載の医用インプラントシステム。
【請求項２２】
前記制御装置は、前記インプラント本体が植え込まれた個人の体の外部に位置する、請求項２０に記載の医用インプラントシステム。
【請求項２３】
前記インプラント本体は、関節置換用インプラント本体、固定器具、スペーサ及びこれらの組合せから成る群から選択される、請求項１〜４のいずれか１項に記載の医用インプラントシステム。
【請求項２４】
更に、前記第２の外面上に設けられた抗菌性金属を含む第２の金属コンポーネントを有し、前記第２の端子は、前記第２の金属コンポーネントと電気的連絡状態にあり、
前記絶縁体は、前記第１の金属コンポーネントを前記第２の金属コンポーネントから絶縁する、請求項２〜４のいずれか１項に記載の医用インプラントシステム。
【請求項２５】
前記第１の金属コンポーネント、前記第２の金属コンポーネント、又は前記第１の金属コンポーネントと前記第２の金属コンポーネントの両方は、金属含有コーティングである、請求項２〜４及び２４のいずれか１項に記載の医用インプラントシステム。
【請求項２６】
更に、前記内部キャビティの壁の一部分上に配置された電気導体を有する、請求項５に記載の医用インプラントシステム。
【請求項２７】
前記内部キャビティの壁と接触状態にある前記キャップの一部分は、電気的絶縁材料で作られ、前記電気的絶縁材料は、植え込み時、前記インプラントシステムの外面に隣接して位置する導電性体組織又は体液を含む回路を構成することなしに前記第１の端子から流れる電流が前記第２の端子に到達するのを阻止する、請求項５に記載の医用インプラントシステム。
【請求項２８】
前記キャップは、突出部分を有し、
前記内部キャビティは、ねじ山付き表面を有し、
前記絶縁体は、ねじ山インサートを有し、
前記キャップの前記突出部分は、前記ねじ山インサートと相互作用して雄型コネクタを形成し、前記内部キャビティの前記ねじ山付き表面と前記雄型コネクタの往復動相互作用を可能にする、請求項３に記載の医用インプラントシステム。